(57)【要約】【課題】  フランジバック操作部によりフランジバック調整しつつも、フランジバック調整のときの作業性を向上させたレンズ装置及びそれを有する撮像装置を得ること。【解決手段】  フォーカス駆動部を操作するフォーカス操作部又はズーム駆動部を操作するズーム操作部を、使用する操作部として選択する選択部と、ズーム操作部が選択された場合には、ズーム操作部に含まれる所定のサブズーム操作部に対する操作に基づくズーム駆動信号を、フォーカス駆動信号へ変換し、フォーカス操作部が選択された場合には、フォーカス操作部に含まれる所定のサブフォーカス操作部に対する操作に基づくフォーカス駆動信号を、ズーム駆動信号へ変換する変換部と、を有する。【選択図】  図１
2016109942.tif 000002
【特許請求の範囲】
【請求項１】
フォーカスレンズ群を駆動するフォーカス駆動部と、ズームレンズ群を駆動するズーム駆動部と、フランジバック調整用レンズ群を操作するフランジバック操作部と、を有するレンズ装置であって、
前記フォーカス駆動部を操作するフォーカス操作部又は前記ズーム駆動部を操作するズーム操作部を、使用する操作部として選択する選択部と、
前記選択部により前記ズーム操作部が選択された場合には、前記ズーム操作部に含まれる所定のサブズーム操作部に対する操作に基づくズーム駆動信号を、前記フォーカス駆動部を駆動するフォーカス駆動信号へ変換し、前記選択部により前記フォーカス操作部が選択された場合には、前記フォーカス操作部に含まれる所定のサブフォーカス操作部に対する操作に基づくフォーカス駆動信号を、前記ズーム駆動部を駆動するズーム駆動信号へ変換する変換部と、を有することを特徴とするレンズ装置。
【請求項２】
フォーカスレンズ群を駆動するフォーカス駆動部と、ズームレンズ群を駆動するズーム駆動部と、フランジバック調整用レンズ群を操作するフランジバック操作部と、前記フォーカス駆動部を操作するフォーカス操作部と、前記ズーム駆動部を操作するズーム操作部と、を有するレンズ装置であって、
前記フォーカス操作部又は前記ズーム操作部を、使用する操作部として選択する選択部を有し、
前記ズーム操作部は、前記選択部により前記ズーム操作部が選択された場合には、前記ズーム操作部に含まれる所定のサブズーム操作部に対する操作に基づくズーム駆動信号を、前記フォーカス駆動部を駆動するフォーカス駆動信号へ変換し、
前記フォーカス操作部は、前記選択部により前記フォーカス操作部が選択された場合には、前記フォーカス操作部に含まれる所定のサブフォーカス操作部に対する操作に基づくフォーカス駆動信号を、前記ズーム駆動部を駆動するズーム駆動信号へ変換することを特徴とするレンズ装置。
【請求項３】
前記フォーカス駆動信号又は前記ズーム駆動信号への変換を、前記変換部に指示する変換指示部を有することを特徴とする請求項１に記載のレンズ装置。
【請求項４】
前記フォーカス駆動信号又は前記ズーム駆動信号への変換を、前記ズーム操作部又は前記フォーカス操作部に指示する変換指示部を有することを特徴とする請求項２に記載のレンズ装置。
【請求項５】
前記選択部は、記憶部の記憶に基づいて、前記フォーカス操作部及び前記ズーム操作部のうちの一方を、使用する操作部として選択することを特徴とする請求項１乃至４のいずれかに記載のレンズ装置。
【請求項６】
請求項１乃至５のいずれかに記載のレンズ装置と、
前記レンズ装置により形成された像を受光する撮像素子を有するカメラ装置と、を有することを特徴とする撮像装置。
【発明の詳細な説明】
【技術分野】
【０００１】
本発明は、レンズ装置及びそれを有する撮像装置に関し、特に、フランジバック調整のときの作業性が向上されたレンズ装置及びそれを有する撮像装置に関する。
【背景技術】
【０００２】
図２は、従来技術に係る、放送用の大型の撮像装置の配置図である。放送用の大型の撮像装置は、主として、レンズ装置（レンズ本体）１、カメラ装置４、これらを搭載する三脚装置を有する。カメラ装置４は、レンズ本体１により形成された像を受光する撮像素子を有する。三脚装置には三脚を操作する操作棒が左右に取り付けられている。
【０００３】
図２において、レンズ本体１の左右の領域に操作棒が配置されている。そして、この操作棒の先に、レンズ操作装置（以下、「操作部」という）であるズーム操作部２とフォーカス操作部３が設置されている。また、レンズ本体１の側面に、レンズ装置のフランジバック操作部（フランジバック調整用ツマミ）１４が配置されている。
【０００４】
このような大型の撮像装置におけるフランジバック調整のときには、少なくともフランジバック調整用レンズ群、ズームレンズ群、フォーカスレンズ群の３種類のレンズ群を繰り返し操作する必要がある。ここで、「フランジバック調整用レンズ群」とは、レンズ本体１における光学系を構成するレンズ群のうち、最も像側にある、１枚以上のレンズからなるレンズ群である。
【０００５】
フランジバック調整は、以下の手順で行う。（１）ズームレンズ群を望遠端（ＴＥＬＥ端）にする。（２）その状態でフォーカスレンズ群を駆動し、特定の被写体に焦点を合わせる。（３）ズームレンズ群を広角端（ＷＩＤＥ端）にする。（４）その状態で、フランジバック調整用レンズ群を駆動し、特定の被写体に焦点を合わせる操作を行う。そして、これら（１）〜（４）の操作を数回繰り返すことでフランジバック調整を行う。
【０００６】
このように、フランジバック調整の際には、ズームレンズ群の駆動と、フォーカスレンズ群の駆動、フランジバック調整用レンズ群の駆動を繰り返し行う必要がある。
【０００７】
図２、３に示すように、フランジバック操作部１４はレンズ本体１の左右側面のいずれかにあることが多い。よって、フランジバック操作部１４の操作位置（図２の操作位置Ａ又は図３の操作位置Ｂ）では、直接操作することが困難な操作部（フォーカス操作部３又はズーム操作部２）が存在することになる。そのため、フランジバック調整作業のときに作業者は、第１の領域又は第２の領域にある操作位置Ａ又はＢと、通常時に操作部を操作する通常操作位置Ｃとの間を何度も移動する必要があり煩雑である。
【０００８】
特許文献１では、ズーム操作部やフォーカス操作部を、フランジバック調整用レンズ群の操作にも兼用させる技術が開示されている。
【先行技術文献】
【特許文献】
【０００９】
【特許文献１】特開２０００−６９３４４号公報
【発明の概要】
【発明が解決しようとする課題】
【００１０】
しかし、特許文献１に記載の発明では、ズーム操作部やフォーカス操作部により、フランジバック調整用レンズ群の操作を行うことになり、ズームレンズ群やフォーカスレンズ群の操作とフランジバック調整用レンズ群の操作を混同し易いという課題がある。
【００１１】
そこで、本発明の目的は、フランジバック操作部によりフランジバック調整しつつも、フランジバック調整のときの作業性を向上させたレンズ装置及びそれを有する撮像装置を得ることにある。
【課題を解決するための手段】
【００１２】
上記目的を達成するために本発明は、フォーカスレンズ群を駆動するフォーカス駆動部と、ズームレンズ群を駆動するズーム駆動部と、フランジバック調整用レンズ群を操作するフランジバック操作部と、を有するレンズ装置であって、前記フォーカス駆動部を操作するフォーカス操作部又は前記ズーム駆動部を操作するズーム操作部を、使用する操作部として選択する選択部と、前記選択部により前記ズーム操作部が選択された場合には、前記ズーム操作部に含まれる所定のサブズーム操作部に対する操作に基づくズーム駆動信号を、前記フォーカス駆動部を駆動するフォーカス駆動信号へ変換し、前記選択部により前記フォーカス操作部が選択された場合には、前記フォーカス操作部に含まれる所定のサブフォーカス操作部に対する操作に基づくフォーカス駆動信号を、前記ズーム駆動部を駆動するズーム駆動信号へ変換する変換部と、を有する。
【００１３】
また、上記目的を達成するために本発明は、フォーカスレンズ群を駆動するフォーカス駆動部と、ズームレンズ群を駆動するズーム駆動部と、フランジバック調整用レンズ群を操作するフランジバック操作部と、前記フォーカス駆動部を操作するフォーカス操作部と、前記ズーム駆動部を操作するズーム操作部と、を有するレンズ装置であって、前記フォーカス操作部又は前記ズーム操作部を、使用する操作部として選択する選択部を有し、前記ズーム操作部は、前記選択部により前記ズーム操作部が選択された場合には、前記ズーム操作部に含まれる所定のサブズーム操作部に対する操作に基づくズーム駆動信号を、前記フォーカス駆動部を駆動するフォーカス駆動信号へ変換し、前記フォーカス操作部は、前記選択部により前記フォーカス操作部が選択された場合には、前記フォーカス操作部に含まれる所定のサブフォーカス操作部に対する操作に基づくフォーカス駆動信号を、前記ズーム駆動部を駆動するズーム駆動信号へ変換する。
【発明の効果】
【００１４】
本発明によれば、フランジバック操作部によりフランジバック調整しつつも、フランジバック調整のときの作業性を向上させたレンズ装置及びそれを有する撮像装置が得られる。
【図面の簡単な説明】
【００１５】
【図１】本発明の第１の実施形態に係る機能ブロック図。
【図２】本発明及び従来技術に係る撮像装置の配置図（フランジバック操作部をレンズ本体の左側面に有する場合）。
【図３】本発明及び従来技術に係る撮像装置の配置図（フランジバック操作部をレンズ本体の右側面に有する場合）。
【図４】本発明の第１の実施形態に係るフローチャート。
【図５】本発明の第１の実施形態に係る機能ブロック図（ズーム操作部にフォーカス駆動部を駆動制御する機能が追加された場合）。
【図６】本発明の第１の実施形態に係る機能ブロック図（フォーカス操作部にズーム駆動部を駆動制御する機能が追加された場合）。
【図７】本発明の第２の実施形態に係る機能ブロック図。
【図８】本発明の第２の実施形態に係るフローチャート。
【発明を実施するための形態】
【００１６】
以下、本発明の好ましい実施形態を、添付の図面に基づいて詳細に説明する。
【実施例１】
【００１７】
以下、図１〜６を用いて、本発明の第１の実施形態について説明する。
【００１８】
図１は、本発明の第１の実施形態に係るレンズ装置（レンズ本体、ズーム操作部、フォーカス操作部）の機能ブロック図である。図２，３は、本発明に係る撮像装置（レンズ装置、カメラ装置、三脚装置）の配置図である。
【００１９】
図２，３に示す撮像装置は、主として、レンズ本体１、カメラ装置４、これらを搭載する三脚装置を有する。カメラ装置４は、レンズ装置（レンズ本体１）により形成された像を受光する撮像素子を有する。三脚装置には三脚を操作する操作棒が左右に取り付けられている。
【００２０】
図１に示すレンズ装置は、主として、レンズ本体１、ズーム操作部２、フォーカス操作部３を有する。レンズ本体１は、レンズ部１１、レンズ本体ＣＰＵ１２、調整モード許可部１３、フランジバック操作部（フランジバック調整用ツマミ）１４を有する。
【００２１】
レンズ部１１は、一つ又は複数のフォーカスレンズを有するフォーカスレンズ群を駆動するフォーカス駆動部１１１を有する。また、一つ又は複数のズームレンズを有するズームレンズ群を駆動するズーム駆動部１１２を有する。また、フランジバック調整用レンズ群を駆動するフランジバック調整部１１３を有する。フランジバック調整部１１３はフランジバック操作部１４により操作される。
【００２２】
後述する操作部選択部１２１により、操作部の選択を行う。本実施形態では、図２に示された、レンズ装置（レンズ本体１）の光軸を含む鉛直面で二分される領域のうち、フランジバック操作部１４がある領域にある操作部を、フランジバック操作部１４に近い操作部であると判断し選択を行う。しかし、本発明において当該判断を行うための基準はこれに限られない。たとえば、フランジバック操作部を操作する位置にいながら操作し易い操作部を、フランジバック操作部１４に近い操作部であると判断してもよい。
【００２３】
次に、フランジバック調整のときの作業手順について説明する。
【００２４】
ズーム駆動部１１２によりズームレンズ群を至近端位置に駆動し、撮影画像の焦点が合うようにフランジバック調整部１１３によりフランジバック調整用レンズ群の調整（駆動）を作業者が行う。次に、ズーム駆動部１１２によりズームレンズ群を望遠端位置に駆動し、撮影画像の焦点が合うようにフォーカス駆動部１１１によるフォーカスレンズ群の調整（駆動）を行う。ズーム駆動部１１２によりズームレンズ群の至近端と望遠端での調整作業を数回繰り返すことでフランジバック調整を行うことができる。
【００２５】
レンズ本体ＣＰＵ１２は、操作部選択部１２１と調整モード指示部１２２を有する。操作部選択部１２１は、フランジバック調整のときに使用する操作部の選択を行う選択部である。調整モード指示部１２２は、操作部選択部１２１により選択された操作部にフランジバック調整モードを設定するよう指示する変換指示部である。
【００２６】
調整モード許可部１３は、レンズ本体ＣＰＵ１２に対し、フランジバック調整モード設定の許可を行う。フランジバック操作部（フランジバック調整用ツマミ）１４は、フランジバック調整部１１３を手動操作するための操作部材である。
【００２７】
ズーム操作部２は、ズーム操作部ＣＰＵ２１、ズーム操作部材（サブズーム操作部）２２、ズーム操作ＳＷ（サブズーム操作部）２３を有する。このズーム操作部２は、レンズ部１１にレンズ駆動指令を行う操作部であり、主としてズーム駆動部１１２に対して駆動指令を行う（駆動信号を出力する）。
【００２８】
ズーム操作部ＣＰＵ２１は、レンズ制御ＣＰＵ１２の指示に応じて、ズーム操作部２によるレンズ部１１の制御対象、制御方法の変更を行う。ズーム操作部材２２はサムリングという操作部材であり、操作量に応じてズーム駆動部１１２に対し駆動指令を行う。ズーム操作ＳＷ２３はスイッチであり、放送システムにおけるリターン映像の切り替えに用いられている。
【００２９】
ズーム操作部材２２のサムリングは、サムリングを傾けた回転角度に応じて出力値が変化する。また、サムリング位置が常に中点位置に戻るように中点復帰機構を持っており、サムリングから手を離すと中点位置に戻る。この中点復帰機構を持つことにより、同じ回転角度を保持し続ける位置制御のような操作は困難なため、復帰位置である中点位置にてレンズ駆動を停止させる速度制御の操作部材として用いられている。
【００３０】
フォーカス操作部３は、フォーカス操作部ＣＰＵ３１、フォーカス操作部材（サブフォーカス操作部）３２、フォーカス操作ＳＷ（サブフォーカス操作部）３３を有する。このフォーカス操作部３は、レンズ部１１にレンズ駆動指令を行う操作部であり、主としてフォーカス駆動部１１１に対して駆動指令を行う（駆動信号を出力する）。
【００３１】
フォーカス操作部ＣＰＵ３１は、レンズ制御ＣＰＵ１２の指示に応じて、フォーカス操作部３によるレンズ部１１の制御対象、制御方法の変更を行う。フォーカス操作部材３２は回転ノブという操作部材であり、操作量に応じてフォーカス駆動部１１１に対し位置指令を行う。フォーカス操作ＳＷ３３は、回転ノブによる位置指令の方向切り替えに用いられるスイッチである。
【００３２】
フォーカス操作部材３２の回転ノブは、回転ノブを回転させたときの位置に応じて出力値が変化する。また、回転ノブは操作がなければ同じ位置を保持し続けるため、位置指令の操作部材として用いられている。
【００３３】
図４は、フランジバック調整モード設定に関するシステム全体の動作フローである。本実施形態について図４を用いて説明する。
【００３４】
ステップＳＴ４０１から処理が開始され、ステップＳＴ４０２へ進む。
【００３５】
ステップＳＴ４０２では、レンズ本体ＣＰＵ１２が、調整モード許可部１３によりフランジバック調整モードが許可されているか確認を行う。
【００３６】
本実施形態では調整モード許可部１３による許可手段として、操作部の操作による許可を行う。他にも、フランジバック操作部１４が操作されたことを識別し許可を行ってもよいし、フランジバック操作部１４にフランジバック操作が容易に実施されないように保護機構がある場合には、保護機構の解除を識別し許可を行ってもよい。認識する方法としてはスイッチ等がある。フランジバック調整モードが許可されている場合には、ステップＳＴ４０２からステップＳＴ４０３へ進み、許可されていない場合には、ステップＳＴ４０２からステップＳＴ４０８へ進む。
【００３７】
ステップＳＴ４０３では、操作部選択部１２１が、フランジバック調整のときに使用する操作部（レンズ操作部）の選択を行う。
【００３８】
レンズ操作部の選択は、前記レンズ操作部の種類をメモリなどの記憶部（図示せず）に予め記憶しておき、当該記憶部の記憶に基づいて、フォーカス操作部及びズーム操作部のうちの一方をレンズ操作部として選択する。
【００３９】
また、フランジバック操作部１４の位置と各操作部の位置を検知し、フランジバック操作部１４により近い位置にある操作部を前記レンズ操作部として選択してもよい。また、予めフランジバック操作部１４の位置を記憶しておき、現在接続されている各操作部の位置を確認することで、前記レンズ操作部として選択してもよい。また、操作部の操作によりフランジバック調整モードを許可した場合には、許可操作を行った操作部を前記レンズ操作部として選択してもよい。また、操作部が１種類のみの場合には、その操作部を前記レンズ操作部として選択してもよい。
【００４０】
フランジバック調整モードの設定対象としてズーム操作部２を選択した場合には、ステップＳＴ４０３からステップＳＴ４０４へ進み、フォーカス操作部３を選択した場合には、ステップＳＴ４０３からステップＳＴ４０６へ進む。
【００４１】
ステップＳＴ４０４では、調整モード指示部１２２が、ズーム操作部２へフランジバック調整モードを設定するよう指示し（指示信号を出力し）、ステップＳＴ４０５へ進む。
【００４２】
ステップＳＴ４０５では、ズーム操作部２のズーム操作部ＣＰＵ２１が、調整モード指示部１２２からフランジバック調整モードを設定するよう指示を受ける。
【００４３】
当該指示を受け、ズーム操作部２は、フォーカス駆動部１１１を駆動制御する機能が追加される（図５）。フォーカス駆動部１１１を駆動制御する機能とは、具体的には、所定のサブズーム操作部（ズーム操作部材２２）で生成されるズーム駆動信号を、フォーカス駆動部を駆動するフォーカス駆動信号へ変換する機能のことである。
【００４４】
また、ズーム操作部２は、ズーム操作ＳＷ２３に、ズーム操作ＳＷ２３で生成される駆動信号（ズーム駆動信号）を、ズーム駆動部１１２を駆動する別のズーム駆動信号へ変換するように設定される。
【００４５】
ズーム操作ＳＷ２３は、ズーム操作ＳＷ２３で生成されるズーム駆動信号を、ズームレンズ群を望遠端位置又は至近端位置へ駆動する別のズーム駆動信号へ変換するように設定される。具体的には、ズームレンズ群が望遠端位置にある場合には至近端位置へ駆動し、ズームレンズ群が至近端位置にある場合には望遠端位置へ駆動するズーム駆動信号へ変換するように設定される。
【００４６】
そして、ステップＳＴ４０５からステップＳＴ４０２へ戻る。
【００４７】
これら設定により、フランジバック調整のときにズーム駆動部１１２は、ズームレンズ群を望遠端位置又は至近端位置への駆動のみを行い、フォーカス駆動部１１１は焦点を合わせるために微調整を行う。つまり、ズーム操作ＳＷ２３にズーム駆動部１１２の駆動制御設定、ズーム操作部材２２にフォーカス駆動部１１１の駆動制御設定とした。
【００４８】
ズーム操作部材２２にてフォーカス駆動部１１１を操作する際の駆動制御方法としては、速度制御と位置制御の２種類がある。
【００４９】
フォーカス駆動部１１１に対し速度制御を行う場合には、フォーカス駆動部１１１の現在位置からズーム操作部材２２による速度制御を行う。
【００５０】
フォーカス駆動部１１１に対し位置制御を行う場合には、フォーカス駆動部１１１を調整位置で保持するため、サムリングを同じ回転角で保持し続ける必要があり操作が困難である。そこで、ズーム操作部材２２による駆動制御量を少なくし操作感度を鈍くすることで、調整操作を容易にすることができる。
【００５１】
また、位置制御のフォーカス操作部３がレンズ本体１に接続されている場合には、フォーカス操作部３がフォーカス駆動部１１１に対し常に位置制御を行うため、操作が困難となる。そこで、フォーカス操作部３の位置制御を禁止し、ズーム操作部２のみ調整操作を可能としてもよい。
【００５２】
ズーム操作ＳＷ２３にてズーム駆動部１１２の駆動制御する場合には、望遠端位置付近では撮影画像の光量が落ちる現象がある。この状態では画像による焦点調整が困難となるため、光量により望遠端位置を変更してもよい。
【００５３】
ステップＳＴ４０６では、調整モード指示部１２２が、フォーカス操作部３へフランジバック調整モードを設定するよう指示し（指示信号を出力し）、ステップＳＴ４０７へ進む。
【００５４】
ステップＳＴ４０７では、フォーカス操作部３のフォーカス操作部ＣＰＵ３１が、調整モード指示部１２２からフランジバック調整モードを設定するよう指示を受ける。
【００５５】
当該指示を受け、フォーカス操作部３は、ズーム駆動部１１２を駆動制御する機能が追加される（図６）。ズーム駆動部１１２を駆動制御する機能とは、具体的には、所定のサブフォーカス操作部（フォーカス操作ＳＷ３３）で生成されるフォーカス駆動信号を、ズーム駆動部を駆動するズーム駆動信号へ変換する機能のことである。
【００５６】
フォーカス操作ＳＷ３３は、フォーカス操作ＳＷ３３で生成されるフォーカス駆動信号を、ズームレンズ群を望遠端位置又は至近端位置へ駆動するズーム駆動信号へ変換するように設定される。具体的には、ズームレンズ群が望遠端位置にある場合には至近端位置へ駆動し、ズームレンズ群が至近端位置にある場合には望遠端位置へ駆動するズーム駆動信号へ変換するように設定される。
【００５７】
そして、ステップＳＴ４０７からステップＳＴ４０２へ戻る。
【００５８】
なお、フォーカス操作部材３２で生成される駆動信号（フォーカス駆動信号）は（フォーカス操作部材３２において変換せず）そのまま、フォーカス駆動部１１１を駆動するフォーカス駆動信号として用いられる。
【００５９】
これら設定により、フランジバック調整のときにズーム駆動部１１２は、ズームレンズ群を望遠端位置又は至近端位置への駆動のみを行い、フォーカス駆動部１１１は焦点を合わせるために微調整を行う。つまり、ズーム操作ＳＷ２３にズーム駆動部１１２の駆動制御設定、ズーム操作部材２２にフォーカス駆動部１１１の駆動制御設定とした。
【００６０】
このとき、ズーム操作部２がレンズ本体１に接続されている場合には、ズーム操作部２がズーム駆動部１１２に対し制御を行うため、操作が困難となる。そこで、ズーム操作部２の制御を禁止し、フォーカス操作部３のみ調整操作を可能としてもよい。
【００６１】
ステップＳＴ４０８では、調整モード指示部１２２が、ズーム操作部２とフォーカス操作部３へ、調整モードを解除するよう指示し（指示信号を出力し）、ステップＳＴ４０９へ進む。
【００６２】
ステップＳＴ４０９では、ズーム操作部２とフォーカス操作部３が、調整モード指示部１２２からフランジバック調整モードを解除するよう指示を受ける。そして、ズーム操作部２とフォーカス操作部３は、駆動信号を変換する処理を停止し、ステップＳＴ４０２へ戻る。
【００６３】
このとき、ズーム操作部２が調整モードの解除指示を受けた場合には、フォーカス操作部材３２の構成によりフォーカス駆動部１１１の駆動開始方法を変更する。
【００６４】
操作駆動端があるフォーカス操作部材３２が用いられる場合には、フォーカスレンズ群の位置が特定の条件を満たした場合に、フォーカス操作部材３２によるフォーカス駆動部１１１の駆動制御を可能にする。つまり、フォーカス操作部材３２により操作されたフォーカスレンズ群の位置とフォーカスレンズ群の現在位置が同位置となった場合に、フォーカス操作部材３２によるフォーカス駆動部１１１の操作を可能にする。
【００６５】
フォーカス操作部材３２の回転ノブに操作駆動端が無い構成の場合では、フォーカス駆動部１１１の現在位置からフォーカス操作部材３２によるフォーカス駆動部１１１の駆動制御を可能とする。
【００６６】
この制御により、フォーカス駆動部１１１の不要な駆動を禁止し、作業者は負担なく操作することができる。
【００６７】
以上のように、本実施形態を実施することで、フランジバック調整モードになった際には、ズーム操作部２にはフォーカス駆動部１１１の操作機能を追加し、フォーカス操作部３にはズーム駆動部１１２の操作機能を追加する。この機能追加により、作業者は作業位置を変えることなくフランジバック調整作業を容易に実施することができる。
【００６８】
本実施形態では、操作部としてズーム操作部２及びフォーカス操作部３の両方があることを前提にして説明してきた。しかし、本実施形態を実施することで、操作部としてズーム操作部２又はフォーカス操作部３のいずれかがない場合でも、フランジバック調整が可能となる。
【００６９】
また、ズーム操作部２とフォーカス操作部３の配置もしくはレンズ装置との接続位置関係を入れ替えてもよい。
【実施例２】
【００７０】
以下、図７〜図８を用いて、本発明の第２の実施形態を説明する。
【００７１】
まず、図７を用いて、本実施形態に用いる撮像装置について説明する。なお、図１と同一構成部分については同一の符号をつけ説明を省略する。図７は本発明の撮像装置における機能ブロック図である。
【００７２】
図７に示す撮像装置のレンズ本体１には、レンズ駆動制御ＣＰＵ１５があり、レンズ駆動信号制御部１５１にて構成されている。
【００７３】
レンズ駆動信号制御部１５１は、操作部からのレンズ駆動信号を受信し、レンズ部１１にレンズ駆動信号の送信を行う。
【００７４】
図８は、フランジバック調整モード設定に関するシステム全体の動作フローである。なお、第１の実施形態の図４と構成が重複する部分は同符号をあたえ説明を省略する。
【００７５】
ステップＳＴ８０１で処理を開始し、ステップＳＴ４０２へ進む。ステップＳＴ４０２では、レンズ本体ＣＰＵ１２が、調整モード許可部１３によりフランジバック調整モードが許可されているか確認を行う。
【００７６】
フランジバック調整モードが許可されている場合には、ステップＳＴ４０３へ進み、許可されていない場合には、ステップＳＴ８０６へ進む。
【００７７】
ステップＳＴ４０３では、操作部選択部１２１が、フランジバック調整モードの設定対象となる操作部（レンズ操作部）の選択を行う。
【００７８】
ズーム操作部２を選択した場合には、ステップＳＴ８０２へ進み、フォーカス操作部３を選択した場合には、ステップＳＴ８０４へ進む。
【００７９】
ステップＳＴ８０２では、調整モード指示部１２２が、レンズ駆動信号制御部１５１へフランジバック調整モードを設定するよう指示し（指示信号を出力し）、ステップＳＴ８０３へ進む。
【００８０】
ステップＳＴ８０３では、レンズ駆動信号制御部１５１が、調整モード指示部１２２からフランジバック調整モードを設定するよう指示を受ける。
【００８１】
レンズ駆動信号制御部（変換部）１５１は、ズーム操作部２から出力される複数の駆動信号（ズーム駆動信号）のうちの一部を、フォーカス駆動部１１１を駆動する駆動信号（フォーカス駆動信号）へ変換するように設定される。
【００８２】
レンズ駆動信号制御部１５１は、ズーム操作部材２２から出力される駆動信号を、フォーカス駆動部１１１を駆動するフォーカス駆動信号へ変換するように設定される。
【００８３】
また、レンズ駆動信号制御部１５１は、ズーム操作ＳＷ２３から出力される駆動信号（ズーム駆動信号）を、ズーム駆動部１１２を駆動する別のズーム駆動信号へ変換するように設定される。つまり、レンズ駆動信号制御部１５１は、ズーム操作ＳＷ２３から出力されるズーム駆動信号を、ズームレンズ群を望遠端位置又は至近端位置へ駆動する別のズーム駆動信号へ変換するように設定される。具体的には、ズームレンズ群が望遠端位置にある場合には至近端位置へ駆動し、ズームレンズ群が至近端位置にある場合には望遠端位置へ駆動するズーム駆動信号へ変換するように設定される。
【００８４】
そして、ステップＳＴ８０３からステップＳＴ４０２へ戻る。
【００８５】
ステップＳＴ８０４では、調整モード指示部１２２が、レンズ駆動信号制御部１５１へフランジバック調整モードを設定するよう指示し（指示信号を出力し）、ステップＳＴ８０５へ進む。
【００８６】
ステップＳＴ８０５では、レンズ駆動信号制御部１５１が、調整モード指示部１２２からフランジバック調整モードを設定するよう指示を受ける。
【００８７】
レンズ駆動信号制御部（変換部）１５１は、フォーカス操作部３から出力される複数の駆動信号（フォーカス駆動信号）のうちの一部を、ズーム駆動部１１２を駆動する駆動信号（ズーム駆動信号）へ変換するように設定される。
【００８８】
レンズ駆動信号制御部１５１は、フォーカス操作ＳＷ３３から出力される駆動信号を、ズーム駆動部１１２を駆動するズーム駆動信号へ変換するように設定される。つまり、レンズ駆動信号制御部１５１は、ズームレンズ群を望遠端位置又は至近端位置へ駆動するズーム駆動信号へ変換するように設定される。具体的には、ズームレンズ群が望遠端位置にある場合には至近端位置へ駆動し、ズームレンズ群が至近端位置にある場合には望遠端位置へ駆動するズーム駆動信号へ変換するように設定される。
【００８９】
そして、ステップＳＴ８０５からステップＳＴ４０２へ戻る。
【００９０】
なお、フォーカス操作部材３２から出力される駆動信号（フォーカス駆動信号）は（レンズ駆動信号制御部１５１において変換せず）そのまま、フォーカス駆動部１１１を駆動するフォーカス駆動信号として用いられる。
【００９１】
ステップＳＴ８０６では、調整モード指示部１２２が、レンズ駆動信号制御部１５１へフランジバック調整モードを解除するよう指示し（指示信号を出力し）、ステップＳＴ８０７へ進む。
【００９２】
ステップＳＴ８０７では、レンズ駆動信号制御部１５１が、調整モード指示部１２２からフランジバック調整モードを解除するよう指示を受ける。そして、ズーム操作部２又はフォーカス操作部３から出力される駆動信号を変換する処理を停止し、ステップＳＴ４０２へ戻る。
【００９３】
本実施形態を実施することで、ズーム操作部２がフォーカス駆動部１１１の駆動制御機能を追加する機能又はフォーカス操作部３がズーム駆動部１１２の駆動制御機能を追加する機能を有さなくても、フランジバック調整を容易に行うことが可能となる。
【００９４】
第１の実施形態では、レンズ本体１により操作部の選択を行い、操作部にて駆動制御の切り替えを行っている。これに対し、第２の実施形態では、レンズ本体１により操作部の選択を行い、レンズ本体１にて駆動制御の切り替えを行っている。
【００９５】
その他にも、操作部にて、操作部の選択と操作部の駆動制御の切り替えを行うようにしてもよい。
【００９６】
以上、本発明の好ましい実施形態について説明したが、本発明はこれらの実施形態に限定されず、その要旨の範囲内で種々の変形及び変更が可能である。
【符号の説明】
【００９７】
１  レンズ本体
１１１  フォーカス駆動部
１１２  ズーム駆動部
１２１  操作部選択部（選択部）
１４  フランジバック操作部
１５１  レンズ駆動信号制御部（変換部）
２  ズーム操作部
２２  ズーム操作部材（サブズーム操作部）
３  フォーカス操作部
３３  フォーカス操作ＳＷ（サブフォーカス操作部）
【図１】
2016109942.tif 000003
【図２】
2016109942.tif 000004
【図３】
2016109942.tif 000005
【図４】
2016109942.tif 000006
【図５】
2016109942.tif 000007
【図６】
2016109942.tif 000008
【図７】
2016109942.tif 000009
【図８】
2016109942.tif 000010